(57)【要約】    【課題】  本考案は、より簡単且つ容易で、作業や時間の節約ができ、生産効率が有効的に向上される、カード読取装置を提供する。    【解決手段】  絶縁主体と、少なくとも一つの信号端子組と、絶縁板とがあるカード読取装置であり、主として、信号端子組の信号端子が、放置方式で、当該絶縁主体上に組み立て、また、当該絶縁主体上には、これらの信号端子の位置付けのための位置付け構造が設けられ、これにより、信号端子の組み立ては、より簡単且つ容易で、作業や時間の節約ができ、生産効率が有効的に向上される。【選択図】図１
0003109582.tif 000002
【実用新案登録請求の範囲】
【請求項１】
カード収納空間と位置付け構造を有する、絶縁主体と、
一端が当該絶縁主体外まで延ばして溶接部を形成し、もう一端が当該カード収納空間内へ延ばして接触部を形成する、当該絶縁主体上に放置されて、位置付け構造により当該絶縁主体上に位置付けされる、複数の信号端子を有する、少なくとも一つの信号端子組とがあることを特徴とするカード読取装置。
【請求項２】
当該絶縁主体には、ベース部とニつの当該ベース部に連接される両端が平行的に延ばすアーム部とがあり、当該ベース部と当該ニつのアーム部との間には、当該カード収納空間が形成されることを特徴とする請求項１に記載のカード読取装置。
【請求項３】
当該位置付け構造には、絶縁主体上に設置される複数の位置付けストライプと位置付けブロックがあり、これらの信号端子は、夫々、左、右に隣接する位置付けストライプと位置付けブロックとの間に実装されることを特徴とする請求項１に記載のカード読取装置。
【請求項４】
これらの信号端子の一側には、夫々、位置付けシートが凸設され、これらの位置付けシートは、前、後に隣接する二つの位置付けブロックの間に係合されることを特徴とする請求項３に記載のカード読取装置。
【請求項５】
当該位置付け構造には、絶縁主体上に設けられる複数の位置付け槽があり、これらの信号端子は、夫々、これらの位置付け槽の中に実装されることを特徴とする請求項１に記載のカード読取装置。
【請求項６】
当該信号端子組の複数の信号端子は、上から下へ、当該絶縁主体上に放置されることを特徴とする請求項１に記載のカード読取装置。
【請求項７】
当該信号端子組の複数の信号端子は、下から上へ、当該絶縁主体上に放置されることを特徴とする請求項１に記載のカード読取装置。
【請求項８】
更に、当該絶縁主体上に設置される絶縁板があり、当該絶縁板は、これらの信号端子上を押さえることを特徴とする請求項１に記載のカード読取装置。
【請求項９】
当該絶縁板上には、複数の固定穴が設けられ、当該絶縁主体上には、複数の固定柱が設けられ、これらの固定柱は、対応する固定穴の中に位置し、係合や鋲接或いはホットメルト方式により、これらの固定柱とこれらの固定穴とを固定することにより、当該絶縁板は、当該絶縁主体上に固定されることを特徴とする請求項８に記載のカード読取装置。
【請求項１０】
更に、上部板と両側面板とがある金属枠体が設けられ、当該金属枠体は、当該絶縁板の上方に設置され、当該金属枠体と当該絶縁主体とが結合することを特徴とする請求項８に記載のカード読取装置。
【請求項１１】
当該金属枠体の両側面板上には、夫々、複数の係合穴が設けられ、当該絶縁主体の両側の外縁には、夫々、複数の係合ブロックが設けられ、これらの係合ブロック係とこれらの係合穴とが互いに係合することにより、当該金属枠体と当該絶縁主体とが係合して、一体に結合することを特徴とする請求項１０に記載のカード読取装置。
【請求項１２】
当該金属枠体において、少なくとも一側に、係合部品が設けられ、当該絶縁主体上には、対応する係合部品が設けられ、当該ニつの係合部品が互いに係合することを特徴とする請求項１０に記載のカード読取装置。
【考案の詳細な説明】
【技術分野】
【０００１】
本考案は、カード読取装置に関し、特に、回路基板上にセットされ、電子カードが挿着されて、電子カードと回路基板との間において信号を転送するカード読取装置に関する。
【背景技術】
【０００２】
最近、電子カードが、メッセージ処理の領域に広く応用されるため、当該電子カードを挿着するカード読取装置が登場し、当該カード読取装置は、電子カードが挿着されるために、電子製品の回路基板上にセットされ、これにより、電子カードと回路基板とが、電気的に接続され、電子カードと回路基板との間において、信号が転送されるため、当該電子カードと電子製品との間において、情報の取り扱いができる。
【０００３】
今において、電子カードは、様々の規格や大きさがあるため、種類が多くて、複数・イン・オン（例えば、スリー・イン・オン、フォー・イン・オン、ファイブ・イン・オン等）のカード読取装置が登場する。これらのカード読取装置には、多種類の電子カードが挿着されるため、内部に、複数の対応する信号端子組が設置され、これにより、異なる電子カードが、対応する信号端子組に、電気的に接続される。
【０００４】
上記の信号端子組の信号端子は、一般、挿着方式で、絶縁主体の後端から插入され、絶縁主体上に組み立てられ、これらの信号端子は、干渉方式で、絶縁主体上に固定される。
【０００５】
しかしながら、上記の従来のカード読取装置においては、信号端子が、挿着方式で絶縁主体上に組み立てられるため、作業が複雑で、時間が掛かり、効率的に生産効率を向上することは、困難である。
【０００６】
更に、上記の従来のカード読取装置は、その信号端子が、干渉方式だけで、絶縁主体上に固定されるため、良い位置付けができず、信号端子が絶縁主体に組み立てられた後、容易に、傾斜や位置ずれになり、さらに、信号端子と電子カードとの電気接点が接触不良になり、安定な信号転送をできなくなる。
【０００７】
そのため、上述のように、上記の従来のカード読取装置、は、実用上において、不便や欠陥が存在するため、明らかに、改善するスペースがある。
【０００８】
本考案者は、上記の欠陥が改善可能であるため、慎重に研究して、また、学理に合わせて、設計が合理的で、有効に上記の欠陥を改善する考案を提案する。
【考案の開示】
【考案が解決しようとする課題】
【０００９】
本考案の主な目的は、その信号端子が放置方式で絶縁主体上に組み立てられるため、より簡単且つ容易で、作業や時間の節約ができ、生産効率が有効的に向上される、カード読取装置を提供する。
【００１０】
本考案の他の目的は、その信号端子と絶縁主体との間に、良い位置付けがあり、信号端子が絶縁主体に組み立てられた後、安定な位置付けに着き、傾斜や位置ずれにならず、信号端子と電子カードとの電気接点の接触が良くて、安定的に信号を転送できる、カード読取装置を提供する。
【００１１】
本考案に係わるカード読取装置は、上記の目的を達成するため、カード収納空間と位置付け構造を有する絶縁主体と、一端が当該絶縁主体外まで延ばして溶接部を形成し、もう一端が当該カード収納空間内へ延ばして接触部を形成する、当該絶縁主体上に放置されて、位置付け構造により当該絶縁主体上に位置付けされる、複数の信号端子を有する、少なくとも一つの信号端子組と、がある。
【００１２】
図面を参照しながら、本考案に係わる技術の特徴や目的及び効果を、以下の実施例により、詳しく説明する。
【考案を実施するための最良の形態】
【００１３】
図１乃至図６を参照しながら、本考案に係わるカード読取装置には、絶縁主体１と、第１の信号端子組２と、第２の信号端子組３と、第３の信号端子組４と、第１の絶縁板５と、第２の絶縁板６と、金属枠体７とがあり、プラスチック材からなる当該絶縁主体１には、ベース部１１とニつの当該ベース部１１に連接される両端が平行的に延ばすアーム部１２とがあり、当該ベース部１１と当該ニつのアーム部１２との間には、電子カードが挿着可能なカード収納空間１３が形成される。
【００１４】
これらの第１の信号端子組２、第２の信号端子組３、第３の信号端子組４には、夫々に、導電性が良いかつ弾性材である金属材からなる、複数の信号端子２１、３１、４１が含有され、これらの信号端子２１、３１、４１は、間隔を置くように、当該絶縁主体１のベース部１１上に実装される。これらの第１の、第２の信号端子組２、３の信号端子２１、３１は、当該絶縁主体１に実装する前、夫々一体に連接され、当該絶縁主体１に実装した後、切り分けることにより、隔離状態になる。当該第３の信号端子組４の信号端子４１は、予めに、固定座４４に組み立てられ、当該固定座４４により、当該絶縁主体１上に連接される。これらの信号端子２１、３１、４１は、カードの進行方向と排出方向に沿って延ばす。
【００１５】
各信号端子２１、３１、４１の一端は、絶縁主体１の後端外へ延ばして溶接部２２、３２、４２を形成し、これらの溶接部２２、３２、４２は、夫々、信号端子２１、３１、４１の後端から湾曲して延ばすように、形成され、適当な間隔を置いて、一列になるように、絶縁主体１の後端から延ばし、これにより、回路基板上に溶接されて、当該回路基板に電気的に接続される。各信号端子２１、３１、４１のもう一端は、当該カード収納空間１３内まで延ばして、接触部２３、３３、４３を形成し、これらの接触部２３、３３、４３は、信号端子２１、３１、４１の前端が湾曲して形成され、これらの信号端子２１、３１、４１の接触部２３、３３、４３は、夫々、カード収納空間１３内の前段、中段、後段に位置し、夫々、当該カード収納空間１３内に挿着される電子カードと接触して、電気的に接続される。
【００１６】
当該第１の信号端子組２の複数の信号端子２１は、上から下へ、当該絶縁主体１のベース部１１の頂面に放置され（図２乃至図４のように）、当該絶縁主体１のベース部１１の頂面には、更に、ベース部１１の頂面に設置される複数の、位置付けストライプ１４１、１４２と位置付けブロック１４３、１４４等を有する第１の位置付け構造１４が設けられ、これらの位置付けストライプ１４１、１４２は、縦方向に延ばし、これらの位置付けストライプ１４１、１４２と位置付けブロック１４３、１４４とは、間隔を置くように、ベース部１１上に設置され、また、左、右に隣接する位置付けストライプ１４１、１４２と位置付けブロック１４３、１４４との間には、信号端子２１を収納するための空間が形成される。
【００１７】
これらの信号端子２１は、夫々、左、右に隣接する位置付けストライプ１４１、１４２と位置付けブロック１４３、１４４との間に、実装され、これにより、これらの位置付けストライプ１４１、１４２と位置付けブロック１４３、１４４との設置により、これらの信号端子２１を隔離する間隔が形成され、また、これらの信号端子２１を左、右に位置付けする効果が得られ、信号端子２１が左、右に位置ずれすることを防止できる。また、これらの信号端子２１においては、接触部２３の近くに或る一側に、夫々、位置付けシート２４が凸設され、これらの位置付けシート２４は、前、後に隣接するニつの位置付けブロック１４４の間に係合されるため、これらの信号端子２１を前、後に位置付けする効果が得られ、信号端子２１が前、後に位置ずれすることを防止でき、これにより、これらの信号端子２１を、安定的に、当該絶縁主体１のベース部１１上に位置付けできる。
【００１８】
当該第１の絶縁板５は、プラスチック材からなり、当該第１の絶縁板５は、当該絶縁主体１の上方に設置され、当該第１の絶縁板５上には、複数の固定穴５１、５２、５３、５４等が設けられ、これらの固定穴５１、５２、５３、５４の設置数や形状及びサイズが、限定されず、実用に応じて、適当に、変化してもいい。また、当該絶縁主体１上には、これらの固定穴５１、５２、５３、５４と対応する、複数の固定柱１５、１６、１７、１８が設けられ、これらの固定柱１５、１６、１７、１８は、対応する固定穴５１、５２、５３、５４の中に位置し、係合や鋲接あるいはホットメルト等の方式によって、これらの固定柱１５、１６、１７、１８とこれらの固定穴５１、５２、５３、５４が固定されることにより、当該第１の絶縁板５は、当該絶縁主体１上に固定され、これにより、当該第１の絶縁板５は、これらの信号端子２１上を押さえ、これらの信号端子２１を上、下に位置付けする効果が得られ、信号端子２１が上、下に位置ずれすることを防止できる。
【００１９】
当該第２の信号端子組３の複数の信号端子３１は、下から上へ、当該絶縁主体１のベース部１１の底面に放置され（図５と図６のように）、当該絶縁主体１のベース部１１の底面には、第２の位置付け構造１９が設けられ、更に、ベース部１１の底面に設けられる複数の位置付け槽１９１を有する、これらの位置付け槽１９１は、縦方向に沿って延ばし、間隔を置いて、ベース部１１上に設置され、信号端子３１を収納する空間が形成される。
【００２０】
これらの信号端子３１は、夫々、これらの位置付け槽１９１の中に実装され、これらの位置付け槽１９１の設置により、これらの信号端子３１が、隔離されるように、設置され、また、これらの信号端子３１が前、後にと、左、右にと、位置付けする効果が得られ、信号端子３１が前、後にや左、右に位置ずれすることを防止できる。
【００２１】
当該第２の絶縁板６は、プラスチック材からなり、当該第２の絶縁板６は、当該絶縁主体１の下方に設置され、当該第２の絶縁板６上に、複数の固定穴６１が設けられ、また、当該絶縁主体１上には、対応する複数の固定柱１０１が設けられ、これらの固定柱１０１は、対応する固定穴６１の中に位置し、係合や鋲接或いはホットメルト等の方式によって、これらの固定柱１０１と固定穴６１が固定されることにより、当該第２の絶縁板６は、当該絶縁主体１上に固定される。当該第２の絶縁板６は、これらの信号端子３１上を押さえることにより、これらの信号端子３１を上、下に位置付けする効果が得られ、信号端子３１が上、下に位置ずれすることを防止できる。
【００２２】
当該金属枠体７は、金属材からなり、当該第１の絶縁板５の上方に設置されることにより、より良い電磁遮蔽効果が得られ、電磁干渉を防止することができる。当該金属枠体７には、上部板７１と、当該上部板７１の両側から下へ延ばして形成される側面板７２とがあり、当該両側面板７２上には、夫々、複数の係合穴７３が設けられ、また、当該絶縁主体１のニつのアーム部１２の外縁には、夫々、係合穴７３に対応する複数の係合ブロック１０２が設けられ、これらの係合ブロック１０２と、これらの係合穴７３とが、互いに係合することにより、当該金属枠体７と当該絶縁主体１とは、一体に係合される。また、当該金属枠体７には、少なくとも一側に、係合部品７４が設けられ、また、当該絶縁主体１上に対応する係合部品１０３（図４のように）が設けられ、当該ニつの係合部品７４と１０３とが互いに係合することにより、当該金属枠体７と当該絶縁主体１との係合は、より確実的になり、上記の構成により、本考案に係わるカード読取装置が形成される。
【００２３】
電子カード（図に表示せず）を挿着する時、当該電子カードは、カードの進行方向に沿って押されて、当該カード収納空間１３内に挿着され、これにより、カードが装着され、そして、当該電子カード上にある電気接点は、信号端子２１、３１、４１の接触部２３、３３、４３に対応して接触することにより、電気的に接続され、これにより、当該電子カードは、カード読取装置を介して、回路基板に電気的に接続される。電子カードを排出する時、排出機構（図に表示せず）により、電子カードが排出される。
【００２４】
本考案に係わるカード読取装置は、少なくとも、以下のような、利点がある。
【００２５】
１、本考案によれば、信号端子２１、３１は、放置方式（上から下へ或いは下から上へ）で、絶縁主体１上に組み立てされるため、作業や時間の節約ができ、生産効率が有効的に向上される。
【００２６】
２、本考案の信号端子２１、３１と絶縁主体１との間に、位置付け構造１４、１９が設けられ、また、これらの信号端子２１、３１上を押さえる絶縁板５、６が設けられるため、良い位置付けが得られ、信号端子２１、３１が、絶縁主体１に組み立てられた後、傾斜や位置ずれのないように、位置付けられ、信号端子２１、３１と電子カードとの電気接点の接触が良くて、安定的に信号を転送することができる。
【００２７】
以上の陳述のように、本考案は、従来のカード読取装置の諸欠陥を解決でき、産業上の利用性や新鋭性及び進歩性があり、実用新案登録請求の要件に満たすため、法に従って出願する。
【００２８】
本考案は、実施例により、説明されるが、本考案の実用新案登録請求の範囲内に掲示される広義的な精神や観点に従って、変更や修正などの変化により、等価な機能を達成できるものは、本考案の実用新案登録請求の範囲に含まれている。
【図面の簡単な説明】
【００２９】
【図１】本考案の分解斜視図。
【図２】本考案の絶縁主体と第１の信号端子組と第１の絶縁板の分解斜視図。
【図３】本考案の絶縁主体と第１の信号端子組の立体組み立て図。
【図４】本考案の絶縁主体と第１の信号端子組と第１の絶縁板の立体組み立て図。
【図５】本考案の絶縁主体と第２の信号端子組と第２の絶縁板の分解斜視図。
【図６】本考案の絶縁主体と第２の信号端子組と第２の絶縁板の立体組み立て図。
【符号の説明】
【００３０】
１      絶縁主体
１１    ベース部
１２    アーム部
１３    カード収納空間
１４    第１の位置付け構造
１４１  位置付けストライプ
１４２  位置付けストライプ
１４３  位置付けブロック
１４４  位置付けブロック
１５    固定柱
１６    固定柱
１７    固定柱
１８    固定柱
１９    第２の位置付け構造
１９１  位置付け槽
１０１  固定柱
１０２  係合ブロック
１０３  係合部品
２      第１の信号端子組
２１    信号端子
２２    溶接部
２３    接触部
２４    位置付けシート
３      第２の信号端子組
３１    信号端子
３２    溶接部
３３    接触部
４      第３の信号端子組
４１    信号端子
４２    溶接部
４３    接触部
４４    固定座
５      第１の絶縁板
５１    固定穴
５２    固定穴
５３    固定穴
５４    固定穴
６      第２の絶縁板
６１    固定穴
７      金属枠体
７１    上部板
７２    側面板
７３    係合穴
７４    係合部品
【図１】
0003109582.tif 000003
【図２】
0003109582.tif 000004
【図３】
0003109582.tif 000005
【図４】
0003109582.tif 000006
【図５】
0003109582.tif 000007
【図６】
0003109582.tif 000008